(57)【要約】【課題】活電・非活電の状態を判断する際の確実性を向上させ得る検出結果を報知できる検電器を提供することを主目的とする。【解決手段】検出対象体１００との間で容量的に結合されることによって生じた検出電圧Ｖｉを出力する検出部２と、互いに異なる複数の出力態様で音を出力可能な音出力部３ａ〜３ｃと、互いに異なる複数の発光態様で発光可能な発光部４ａ〜４ｃと、予め定められて互いに重なり合わない少なくとも３つの基準電圧範囲と検出電圧Ｖｉの電圧値とを比較して電圧値が属する基準電圧範囲に予め対応付けられている出力態様で音出力部３ａ〜３ｃに音を出力させると共に電圧値が属する基準電圧範囲に予め対応付けられている発光態様で発光部４ａ〜４ｃを発光させる処理部５とを備えている。【選択図】図１
2008107289.tif 000002
【特許請求の範囲】
【請求項１】
検出対象体との間で容量的に結合されることによって生じた検出電圧を出力する検出部と、互いに異なる複数の出力態様で音を出力可能な音出力部と、予め定められて互いに重なり合わない少なくとも３つの基準電圧範囲と前記検出電圧の電圧値とを比較して当該電圧値が属する当該基準電圧範囲に予め対応付けられている前記出力態様で前記音出力部に前記音を出力させる処理部とを備えている検電器。
【請求項２】
検出対象体との間で容量的に結合されることによって生じた検出電圧を出力する検出部と、互いに異なる複数の発光態様で発光可能な発光部と、予め定められて互いに重なり合わない少なくとも３つの基準電圧範囲と前記検出電圧の電圧値とを比較して当該電圧値が属する当該基準電圧範囲に予め対応付けられている前記発光態様で前記発光部を発光させる処理部とを備えている検電器。
【請求項３】
検出対象体との間で容量的に結合されることによって生じた検出電圧を出力する検出部と、互いに異なる複数の出力態様で音を出力可能な音出力部と、互いに異なる複数の発光態様で発光可能な発光部と、予め定められて互いに重なり合わない少なくとも３つの基準電圧範囲と前記検出電圧の電圧値とを比較して当該電圧値が属する当該基準電圧範囲に予め対応付けられている前記出力態様で前記音出力部に前記音を出力させると共に当該電圧値が属する当該基準電圧範囲に予め対応付けられている前記発光態様で前記発光部を発光させる処理部とを備えている検電器。
【発明の詳細な説明】
【技術分野】
【０００１】
本発明は、測定対象体と容量的に結合することにより、測定対象体に所定電圧値以上の交流電圧が供給されているか否かを検査する検電器に関するものである。
【背景技術】
【０００２】
この種の検電器として、特開２００５−３１５７６０号公報において出願人が開示した検電器が知られている。この検電器では、センサ部が被検知線路と容量的に結合して交流信号を出力し、検知手段がこの交流信号を増幅した後に整流して検出電圧を生成する。また、この検電器では、検知手段が予め定められた１つの基準電圧値と検出電圧の電圧値とを比較して検出電圧の電圧値が基準電圧値よりも高いと判定したときに、表示制御手段が発光ダイオードを点灯させることにより、被検知線路が活電状態である旨が報知される。
【特許文献１】特開２００５−３１５７６０号公報（第２−６頁、第１，２図）
【発明の開示】
【発明が解決しようとする課題】
【０００３】
ところが、上記の検電器には、以下の改善すべき課題がある。すなわち、この検電器では、被検知線路の活電・非活電の状態が、検出電圧の電圧値と１つの基準電圧値との比較によって検出される。つまり、検出電圧の電圧値が基準電圧値よりも高いときには活電状態として検出し、検出電圧の電圧値が基準電圧値以下のときには非活電状態として検出する。この場合、被検知線路の被覆の厚みがそれぞれ異なることに起因して検電結果がばらつくことを防ぐために、基準電圧値は一般的に予め低めに設定されている。このため、他の活電状態の線路などの影響を受けることによって検出電圧が基準電圧値よりも高くなることがあり、この際には、被検知線路が非活電状態であるにも拘わらず活電状態であると検出される可能性がある。したがって、この検電器では、発光ダイオードが点灯しないときには被検知線路が非活電状態であると判断することができるものの、発光ダイオードが点灯するときには、このことのみでは被検知線路の活電・非活電の状態を正確に判断することが困難であり、この点を改善するのが好ましい。
【０００４】
本発明は、かかる問題点に鑑みてなされたものであり、活電・非活電の状態を判断する際の確実性を向上させ得る検出結果を報知できる検電器を提供することを主目的とする。
【課題を解決するための手段】
【０００５】
上記目的を達成すべく請求項１記載の検電器は、検出対象体との間で容量的に結合されることによって生じた検出電圧を出力する検出部と、互いに異なる複数の出力態様で音を出力可能な音出力部と、予め定められて互いに重なり合わない少なくとも３つの基準電圧範囲と前記検出電圧の電圧値とを比較して当該電圧値が属する当該基準電圧範囲に予め対応付けられている前記出力態様で前記音出力部に前記音を出力させる処理部とを備えている。なお、本明細書における「互いに異なる複数の出力態様」には、音量、周波数、および音の出力間隔などの相違により、互いに異なるように聴覚によって認識される複数の出力の態様が含まれる。
【０００６】
請求項２記載の検電器は、検出対象体との間で容量的に結合されることによって生じた検出電圧を出力する検出部と、互いに異なる複数の発光態様で発光可能な発光部と、予め定められて互いに重なり合わない少なくとも３つの基準電圧範囲と前記検出電圧の電圧値とを比較して当該電圧値が属する当該基準電圧範囲に予め対応付けられている前記発光態様で前記発光部を発光させる処理部とを備えている。なお、本明細書における「互いに異なる複数の発光態様」には、色相、明度、彩度、および発光間隔などの相違により、互いに異なるように視覚によって認識される複数の発光の態様が含まれる。
【０００７】
請求項３記載の検電器は、検出対象体との間で容量的に結合されることによって生じた検出電圧を出力する検出部と、互いに異なる複数の出力態様で音を出力可能な音出力部と、互いに異なる複数の発光態様で発光可能な発光部と、予め定められて互いに重なり合わない少なくとも３つの基準電圧範囲と前記検出電圧の電圧値とを比較して当該電圧値が属する当該基準電圧範囲に予め対応付けられている前記出力態様で前記音出力部に前記音を出力させると共に当該電圧値が属する当該基準電圧範囲に予め対応付けられている前記発光態様で前記発光部を発光させる処理部とを備えている。
【発明の効果】
【０００８】
請求項１記載の検電器では、処理部が、予め定められて互いに異なる少なくとも３つの基準電圧範囲と検出電圧の電圧値とを比較してその電圧値が属する基準電圧範囲に予め対応付けられている出力態様で音出力部に音を出力させる。この場合、例えば、その電圧範囲に検出電圧が属するときには検出対象体が活電状態であると断定することができる最も値が高い基準電圧範囲と、同様に検出対象体が活電状態である可能性が高いと判断することができる２番目に値が高い基準電圧範囲と、同様に検出対象体が非活電状態である可能性が高いと判断することができる３番目に値が高い基準電圧範囲と、同様に検出対象体が非活電状態であると断定することができる最も値が低い基準電圧範囲という４つの基準電圧範囲を予め定めることで、検出対象体の活電・非活電の状態を判断するための検出結果を従来の検電器の検出結果と比較してきめ細かく報知することができる。このため、音の出力態様を聞き分けることにより、検出電圧の電圧値の属する基準電圧範囲を上記の基準電圧範囲のうちから特定することができる結果、少なくとも、最も値が高い基準電圧範囲に検出電圧が属するときには検出対象体が活電状態であり、最も値が低い基準電圧範囲に検出電圧が属するときには検出対象体が非活電状態であると判断でき、逆に、２番目に値が高い基準電圧範囲および３番目に値が高い基準電圧範囲に検出電圧が属するときには活電・非活電の状態を必ずしも確実には断定できないと判断することができる。したがって、この検電器によれば、活電・非活電の状態を判断する際の確実性を向上させ得る検出結果を報知することができる。また、この検電器によれば、検出対象体に対して検電器を近付けたり遠ざけたりする際に、これに応じて音の出力態様が変化するため、この出力態様の変化を聞き分けることによっても検出対象体の活電・非活電の状態を判断することができる。
【０００９】
請求項２記載の検電器では、処理部が、予め定められて互いに異なる少なくとも３つの基準電圧範囲と検出電圧の電圧値とを比較してその電圧値が属する基準電圧範囲に予め対応付けられている発光態様で発光部を発光させる。この場合、例えば、その電圧範囲に検出電圧が属するときには検出対象体が活電状態であると断定することができる値が最も高い基準電圧範囲と、同様に検出対象体が活電状態である可能性が高いと判断することができる２番目に値が高い基準電圧範囲と、同様に検出対象体が非活電状態である可能性が高いと判断することができる３番目に値が高い基準電圧範囲と、同様に検出対象体が非活電状態であると断定することができる最も値が低い基準電圧範囲という４つの基準電圧範囲を予め定めることで、検出対象体の活電・非活電の状態を判断するための検出結果を従来の検電器の検出結果と比較してきめ細かく報知することができる。このため、発光態様を見分けることにより、検出電圧の電圧値の属する基準電圧範囲を上記の基準電圧範囲のうちから特定することができる結果、少なくとも、最も値が高い基準電圧範囲に検出電圧が属するときには検出対象体が活電状態であり、最も値が低い基準電圧範囲に検出電圧が属するときには検出対象体が非活電状態であると判断でき、逆に、２番目に値が高い基準電圧範囲および３番目に値が高い基準電圧範囲に検出電圧が属するときには活電・非活電の状態を必ずしも確実には断定できないと判断することができる。したがって、この検電器によれば、活電・非活電の状態を判断する際の確実性を向上させ得る検出結果を報知することができる。また、この検電器によれば、検出対象体に対して検電器を近付けたり遠ざけたりする際に、これに応じて発光態様が変化するため、この発光態様の変化を見分けることによっても検出対象体の活電・非活電の状態を判断することができる。
【００１０】
請求項３記載の検電器では、処理部が、予め定められて互いに異なる少なくとも３つの基準電圧範囲と検出電圧の電圧値とを比較してその電圧値が属する基準電圧範囲に予め対応付けられている出力態様で音出力部に音を出力させると共に予め対応付けられている発光態様で発光部を発光させる。この場合、例えば、その電圧範囲に検出電圧が属するときには検出対象体が活電状態であると断定することができる最も値が高い基準電圧範囲と、同様に検出対象体が活電状態である可能性が高いと判断することができる２番目に値が高い基準電圧範囲と、同様に検出対象体が非活電状態である可能性が高いと判断することができる３番目に値が高い基準電圧範囲と、同様に検出対象体が非活電状態であると断定することができる最も値が低い基準電圧範囲という４つの基準電圧範囲を予め定めることで、検出対象体の活電・非活電の状態を判断するための検出結果を従来の検電器の検出結果と比較してきめ細かく報知することができる。このため、音出力部による音の出力態様を聞き分けたり、発光部による発光態様を見分けたりすることにより、検出電圧の電圧値の属する基準電圧範囲を上記の基準電圧範囲のうちから特定することができる結果、少なくとも、最も値が高い基準電圧範囲に検出電圧が属するときには検出対象体が活電状態であり、最も値が低い基準電圧範囲に検出電圧が属するときには検出対象体が非活電状態であると判断でき、逆に、２番目に値が高い基準電圧範囲および３番目に値が高い基準電圧範囲に検出電圧が属するときには活電・非活電の状態を必ずしも確実には断定できないと判断することができる。したがって、この検電器によれば、活電・非活電の状態を判断する際の確実性を向上させ得る検出結果を報知することができる。また、この検電器によれば、検出対象体に対して検電器を近付けたり遠ざけたりする際に、これに応じて音の出力態様や発光態様が変化するため、この出力態様の変化を聞き分けたり、発光態様の変化を見分けたりすることによっても検出対象体の活電・非活電の状態を判断することができる。
【発明を実施するための最良の形態】
【００１１】
以下、本発明に係る検電器の最良の形態について、添付図面を参照して説明する。
【００１２】
最初に、検電器１の構成について、添付図面を参照して説明する。
【００１３】
この検電器１は、本発明に係る検電器の一例であって、図１に示すように、検出部２、音出力部３ａ〜３ｂ（以下、区別しないときには「音出力部３」ともいう）、発光部４ａ〜４ｂ（以下、区別しないときには「発光部４」ともいう）および処理部５を備え、検出対象体１００に所定電圧以上の交流電圧が供給されているか否かを検査可能に構成されている。この場合、検出対象体１００は、本発明における検出対象体の一例であって、例えば絶縁材料で被覆された電線等が該当する。検出部２は、センサ部２１、増幅部２２および整流平滑部２３を備えている。この場合、センサ部２１は、図３に示すように、金属材料で形成された検電板２４、および高抵抗値の検出抵抗２５を備えている。また、センサ部２１は、検電板２４が検出対象体１００との間で容量的に結合することによって生じる交流電流を検出抵抗２５に流して電流−電圧変換することにより、検出抵抗２５の両端に発生する交流電圧を出力する。増幅部２２は、センサ部２１から出力された交流電圧を増幅して出力する。整流平滑部２３は、増幅された交流電圧を整流すると共に平滑して、後述する基準電圧範囲と比較するための検出電圧Ｖｉを出力する。
【００１４】
音出力部３は、例えば、ブザー、およびブザーを駆動するためのブザー回路（いずれも図示せず）をそれぞれ備え、互いに異なる複数の出力態様で音を出力可能に構成されている。具体的には、各音出力部３は、互いに出力周期の異なる同一周波数の音を出力可能に構成されており、それぞれの音の出力周期が、音出力部３ａ、音出力部３ｂおよび音出力部３ｃの順に短くなるように（つまり、音出力部３ａ，３ｂ，３ｃの順に音を出力する繰り返し周波数が高くなるように）設定され、かつそれぞれの音の音量が、音出力部３ａ、音出力部３ｂおよび音出力部３ｃの順に大きくなるように設定されている。また、音出力部３は、後述する検出信号Ｓ１〜Ｓ３が処理部５から出力されたときに、それぞれ音を出力する。具体的には、音出力部３ａは、第１の検出信号Ｓ１が処理部５から出力されたときに音を出力し、音出力部３ｂは、第２の検出信号Ｓ２が処理部５から出力されたときに音を出力し、音出力部３ｃは、第３の検出信号Ｓ３が処理部５から出力されたときに音を出力する。
【００１５】
発光部４は、例えば、ＬＥＤ、およびＬＥＤを発光させるための発光回路（いずれも図示せず）を備え、それぞれ異なった発光色（色相）で、すなわち互いに異なる複数の発光態様で発光可能に構成されている。この場合、発光部４ａの発光色が黄色、発光部４ｂの発光色が橙色、発光部４ｃの発光色が赤色にそれぞれ規定されている。また、発光部４は、検出信号Ｓ１〜Ｓ３が処理部５から出力されたときに、それぞれ発光する。具体的には、発光部４ａは、第１の検出信号Ｓ１が処理部５から出力されたときに発光し、発光部４ｂは、第２の検出信号Ｓ２が処理部５から出力されたときに発光し、発光部４ｃは、第３の検出信号Ｓ３が処理部５から出力されたときに発光する。
【００１６】
処理部５は、抵抗５１〜５４、電源５５、コンパレータ５６〜５８および論理回路５９〜６１を備えている。抵抗５１〜５４は、電源５５の出力部とグランド電位との間において、抵抗５４、抵抗５３、抵抗５２、抵抗５１の順に電源５５からグランド電位に向けて直列に接続されている。電源５５は、直流の電源電圧Ｖ４を生成して出力から出力する。コンパレータ５６〜５８は、検出部２によって出力された検出電圧Ｖｉが反転入力端子にそれぞれ入力されると共に、抵抗５１〜５４によって分圧された基準電圧Ｖ１〜Ｖ３が非反転入力端子にそれぞれ入力されて、検出電圧Ｖｉの電圧値と基準電圧Ｖ１〜Ｖ３の電圧値とを比較してハイ電圧またはロウ電圧をそれぞれ出力する。具体的には、コンパレータ５６は、検出電圧Ｖｉが反転入力端子に入力されると共に抵抗５１と抵抗５２との接続点における基準電圧Ｖ１が非反転入力端子に入力されて、検出電圧Ｖｉの電圧値が基準電圧Ｖ１の電圧値よりも低いときにハイ電圧を出力して基準電圧Ｖ１の電圧値以上のときにロウ電圧を出力する。また、コンパレータ５７は、検出電圧Ｖｉが反転入力端子に入力されると共に抵抗５２と抵抗５３との接続点における基準電圧Ｖ２が非反転入力端子に入力されて、検出電圧Ｖｉの電圧値が基準電圧Ｖ２の電圧値よりも低いときにハイ電圧を出力して基準電圧Ｖ２の電圧値以上のときにロウ電圧を出力する。また、コンパレータ５８は、検出電圧Ｖｉが反転入力端子に入力されると共に抵抗５３と抵抗５４との接続点における基準電圧Ｖ３が非反転入力端子に入力されて、検出電圧Ｖｉの電圧値が基準電圧Ｖ３よりも低いときにハイ電圧を出力して基準電圧Ｖ３以上のときにロウ電圧を出力する。
【００１７】
ここで、基準電圧Ｖ１〜Ｖ３の電圧値は、基準電圧Ｖ１、基準電圧Ｖ２および基準電圧Ｖ３の順に高い電圧値となるように予め定められている。具体的には、基準電圧Ｖ１の電圧値は、検出電圧Ｖｉの電圧値が基準電圧Ｖ１の電圧値未満のときに検出対象体１００が交流電圧の供給されていない状態（以下、非活電状態ともいう。）であると断定することができる電圧値に設定されている。また、基準電圧Ｖ２の電圧値は、検出電圧Ｖｉの電圧値が基準電圧Ｖ１の電圧値以上かつ基準電圧Ｖ２の電圧値未満のときに検出対象体１００について非活電状態である可能性が高いが非活電状態と断定することはできない電圧値であって、検出電圧Ｖｉの電圧値が基準電圧Ｖ２の電圧値以上基準電圧Ｖ３の電圧値未満のときに検出対象体１００が交流電圧の供給されている状態（以下、活電状態ともいう。）である可能性が高いが検出対象体１００について活電状態と断定することはできない電圧値に設定されている。また、基準電圧Ｖ３の電圧値は、検出電圧Ｖｉが基準電圧Ｖ３の電圧値以上のときには検出対象体１００が活電状態であると断定することができる電圧値に設定されている。
【００１８】
論理回路５９〜６１は、コンパレータ５６〜５８から出力されるハイ電圧およびロウ電圧に従って検出信号Ｓ１〜Ｓ３をそれぞれ出力する。具体的には、論理回路５９は、論理積回路であって、コンパレータ５６からロウ電圧が出力されると共にコンパレータ５７からハイ電圧が出力されたときに、第１の検出信号Ｓ１を出力する。すなわち、論理回路５９は、検出電圧Ｖｉの電圧値が基準電圧Ｖ１の電圧値以上かつ基準電圧Ｖ２の電圧値未満で規定される第２の基準電圧範囲Ｂに属するときに電圧信号Ｓ１を出力する。また、論理回路６０は、論理積回路であって、コンパレータ５７からロウ電圧が出力されると共にコンパレータ５８からハイ電圧が出力されたときに、第２の検出信号Ｓ２を出力する。すなわち、論理回路６０は、検出電圧Ｖｉの電圧値が基準電圧Ｖ２の電圧値以上かつ基準電圧Ｖ３の電圧値未満で規定される第３の基準電圧範囲Ｃに属するときに電圧信号Ｓ２を出力する。また、論理回路６１は、ノット回路であって、コンパレータ５８からロウ電圧が出力されたときに、第３の検出信号Ｓ３を出力する。すなわち、論理回路６１は、検出電圧Ｖｉの電圧値が基準電圧Ｖ３の電圧値以上かつ電源電圧Ｖ４の電圧値以下で規定される第４の基準電圧範囲Ｄに属するときに電圧信号Ｓ３を出力する。なお、論理回路５９〜６１は、コンパレータ５６〜５８のすべてからハイ電圧が出力されときには、検出信号Ｓ１〜Ｓ３をいずれも出力しない。すなわち、論理回路５９〜６１は、検出電圧Ｖｉの電圧値が０ボルト以上かつ基準電圧Ｖ１の電圧値未満で規定される第１の基準電圧範囲Ａに属するときには、検出信号Ｓ１〜Ｓ３をいずれも出力しない。
【００１９】
これにより、処理部５は、第１の基準電圧範囲Ａ、第２の基準電圧範囲Ｂ、第３の基準電圧範囲Ｃおよび第４の基準電圧範囲Ｄという予め定められて互いに重なり合わない４つの基準電圧範囲と、検出電圧Ｖｉの電圧値とを比較して、検出信号Ｓ１〜Ｓ３のうちのいずれか１つの信号を出力するか、あるいは検出信号Ｓ１〜Ｓ３をいずれも出力しないかを実行することにより、検出電圧Ｖｉの電圧値が属する基準電圧範囲に予め対応付けられている出力態様で音出力部３に音を出力させると共に発光態様で発光部４を発光させる。
【００２０】
次に、検電器１の使用方法について、図面を参照して説明する。
【００２１】
まず、図２に示すように、検電器１を手で握った状態で検出対象体１００に検電板２４を接触させる。これにより、検出対象体１００と検電板２４とが容量的に結合して両者の間に静電容量Ｃ１が形成される。これと同様に、検電器１と人体７０との間に静電容量Ｃ２が形成されると共に、人体７０と大地との間にも静電容量Ｃ３が形成される。したがって、例えば検出対象体１００に交流電圧Ｖａが供給されて検出対象体１００が活電状態になっているときには、図３に示すように、検出対象体１００、静電容量Ｃ１、検出抵抗２５、静電容量Ｃ２、人体７０の抵抗７１、静電容量Ｃ３および大地からなる電流経路に微少な交流電流が流れるため、検出抵抗２５の両端に交流電圧が発生する。
【００２２】
これに対して、検出対象体１００が非活電状態のときには、原則として、検出対象体１００に検電板２４を接触させたとしても上記の電流経路に交流電流が流れない。一方、例えば活電状態の他の電線１０１が検出対象体１００の近くに存在するときには、図２に示すように、電線１０１と検電板２４との間で静電容量Ｃ４が形成される。したがって、例えば電圧値Ｖｂの交流電圧が電線１０１に供給されているときには、図３に示すように、電線１０１、静電容量Ｃ４、検出抵抗２５、静電容量Ｃ２、人体７０の抵抗７１および大地からなる電流経路に微少な交流電流が流れることがある。この際にも、検出抵抗２５の両端に交流電圧が発生する。
【００２３】
続いて、増幅部２２が、センサ部２１から出力された交流電圧を増幅して出力する。次いで、整流平滑部２３が、増幅された交流電圧を整流平滑して検出電圧Ｖｉを出力する。この場合、例えば、検出対象体１００が非活電状態のときには、原則として、検出電圧Ｖｉの電圧値が基準電圧Ｖ１の電圧値未満となるため、コンパレータ５６〜５８がハイ電圧をそれぞれ出力する。これにより、検出電圧Ｖｉの属する基準電圧範囲が第１の基準電圧範囲Ａに属することになるため、論理回路５９〜６１が検出信号Ｓ１〜Ｓ３をいずれも出力しない。したがって、すべての音出力部３が音を出力せず、かつすべての発光部４が発光しない。この結果、音の出力態様を聞き分けたり発光態様を見分けたりすることによって検出対象体１００が非活電状態であると判断することができる。また、検出対象体１００が非活電状態であっても電線１０１の影響を受けているときには、検出電圧Ｖｉの電圧値が基準電圧Ｖ１の電圧値以上となる可能性がある。この場合、検出電圧Ｖｉの電圧値が基準電圧Ｖ１の電圧値以上で基準電圧Ｖ２の電圧値未満のときには、コンパレータ５６がロウ電圧を出力すると共にコンパレータ５７，５８がハイ電圧をそれぞれ出力する。これにより、検出電圧Ｖｉの属する基準電圧範囲が第２の基準電圧範囲Ｂに属することになるため、論理回路５９が第１の検出信号Ｓ１を出力する。したがって、音出力部３ａが規定された出力態様で音を出力すると共に発光部４ａが規定された発光態様で発光する。この結果、音の出力態様を聞き分けたり発光態様を見分けたりすることによって検出対象体１００が非活電状態である可能性が高いと判断することができる。
【００２４】
これに対して、検出対象体１００が活電状態のときには、検出電圧Ｖｉの電圧値が基準電圧Ｖ２の電圧値以上となる可能性が高く、検出電圧Ｖｉの電圧値が基準電圧Ｖ２の電圧値以上で基準電圧Ｖ３の電圧値未満のときには、コンパレータ５６，５７がロウ電圧をそれぞれ出力すると共にコンパレータ５８がハイ電圧を出力する。これにより、検出電圧Ｖｉの属する基準電圧範囲が第３の基準電圧範囲Ｃに属することになるため、論理回路６０が第２の検出信号Ｓ２を出力する。したがって、音出力部３ｂが規定された出力態様で音を出力すると共に発光部４ｂが規定された発光態様で発光する。この結果、音の出力態様を聞き分けたり発光態様を見分けたりすることによって検出対象体１００が活電状態である可能性が高いと判断することができる。一方、検出電圧Ｖｉの電圧値が基準電圧Ｖ３の電圧値以上のときには、コンパレータ５６〜５８がロウ電圧をそれぞれ出力する。これにより、検出電圧Ｖｉの属する基準電圧範囲が第４の基準電圧範囲Ｄに属することになるため、論理回路６１が第２の検出信号Ｓ２を出力する。したがって、音出力部３ｃが規定された出力態様で音を出力すると共に発光部４ｃが規定された発光態様で発光する。この結果、音の出力態様を聞き分けたり発光態様を見分けたりすることによって検出対象体１００が活電状態であると判断することができる。
【００２５】
さらに、検出対象体１００と検電板２４とが接触しない状態であっても、容量の小さな静電容量Ｃ１が両者の間に形成される。このため、検出対象体１００が活電状態のときには、検出対象体１００に検電器１を近付けたり遠ざけたりする際にも、図３に示す電流経路に微少な交流電流が流れて検出抵抗２５の両端に交流電圧が発生する。この際には、検出対象体１００と検電器１の検出部２との距離Ｌに応じて検出電圧Ｖｉの電圧値が変化するため、音出力部３の音の出力態様および発光部４の発光態様が、例えば、図４に示すように、距離Ｌの長さに応じて変化する。具体的には、距離ＬがＬ１、Ｌ２およびＬ３の順に長くなる場合、距離Ｌが０以上でＬ１未満のときには検出電圧Ｖｉの電圧値が基準電圧範囲Ｄに属して音出力部３ｃが音を出力すると共に発光部４ｃが発光し、距離ＬがＬ１以上でＬ２未満のときには検出電圧Ｖｉの電圧値が基準電圧範囲Ｃに属して音出力部３ｂが音を出力すると共に発光部４ｂが発光し、距離ＬがＬ２以上でＬ３未満のときには検出電圧Ｖｉの電圧値が基準電圧範囲Ｂに属して音出力部３ａが音を出力すると共に発光部４ａが発光し、距離ＬがＬ３以上のときには検出電圧Ｖｉの電圧値が基準電圧範囲Ａに属してすべての音出力部３が音を出力ぜずにかつすべての発光部４が発光しないというように、音出力部３による音の出力態様と発光部４による発光の態様とが順次変化する。このため、例えば、検出対象体１００に検電器１を近付けるに従って音出力部３ｂから音が出力されるようになると共に発光部４ｂが発光するようになるときには、検出対象体１００が活電状態にある可能性が高いと判断することができる。同様にして、検出対象体１００から検電器１を遠ざけるに従って音出力部３ｂから音が出力されなくなると共に発光部４ｂが発光しなくなるときには、検出対象体１００が活電状態にある可能性が高いと判断することができる。
【００２６】
このように、この検電器１によれば、処理部５が、予め定められて互いに異なる少なくとも３つの基準電圧範囲と検出電圧Ｖｉの電圧値とを比較して検出電圧Ｖｉの電圧値が属する基準電圧範囲に予め対応付けられている出力態様で音出力部３に音を出力させると共に発光態様で発光部４を発光させることにより、検出対象体１００の活電・非活電の状態を判断するための検出結果を従来の検電器の検出結果と比較してきめ細かく報知することができる。このため、音出力部３の出力態様を聞き分けたり、発光部４の発光態様を見分けたりすることにより、検出電圧Ｖｉの電圧値の属する基準電圧範囲を上記の基準電圧範囲のうちから特定することができる結果、少なくとも、最も値が高い基準電圧範囲Ｄに検出電圧Ｖｉが属するときには検出対象体１００が活電状態であり、最も値が低い基準電圧範囲Ａに検出電圧Ｖｉが属するときには検出対象体１００が非活電状態であると判断でき、逆に、２番目に値が高い基準電圧範囲Ｃおよび３番目に値が高い基準電圧範囲Ｂに検出電圧Ｖｉが属するときには活電・非活電の状態を必ずしも確実には断定できないと判断することができる。したがって、この検電器１によれば、活電・非活電の状態を判断する際の確実性を向上させ得る検出結果を報知することができる。また、この検電器１によれば、検出対象体１００に対して検電器１を近付けたり遠ざけたりする際に、これに応じて音の出力態様や発光態様が変化するため、この出力態様の変化を聞き分けたり、発光態様の変化を見分けたりすることによっても検出対象体１００の活電・非活電の状態を判断することができる。
【００２７】
なお、本発明は、上記の構成に限定されない。例えば、音出力部３によって出力される音は、互いに異なる周波数の音を用いてもよい。また、音出力部３の構成については、ブザーを用いた構成に限られず、例えば音声出力部を用いて構成することもできる。また、発光部４の発光色は、上記の構成に限られず、例えば青や緑などの発光色を含めて構成することもできる。また、発光部４の構成については、ＬＥＤによる構成に限られず、ランプなどを用いて構成することもできる。さらに、報知手段として、音出力部３および発光部４のいずれか一方を備えて構成することもできる。この構成であっても、上記の構成と同じ効果を奏することができる。また、上記の構成では、４つの基準電圧範囲を定めているが、３つまたは５つ以上の基準電圧範囲を定めて構成することもできる。
【図面の簡単な説明】
【００２８】
【図１】検電器１のブロック図である。
【図２】検電器１の使用状態を示す説明図である。
【図３】使用状態における検電器１および人体７０を含む測定系の等価回路図である。
【図４】検出対象体１００と検電器１（検出部２）との間の距離に応じた音出力部３および発光部４の作動状態の一例を示す説明図である。
【符号の説明】
【００２９】
１  検電器
２  検出部
５  処理部
３ａ，３ｂ，３ｃ  音出力部
４ａ，４ｂ，４ｃ  発光部
１００  検出対象体
Ｖｉ  検出電圧
Ａ，Ｂ，Ｃ，Ｄ  基準電圧範囲
【図１】
2008107289.tif 000003
【図２】
2008107289.tif 000004
【図３】
2008107289.tif 000005
【図４】
2008107289.tif 000006